(57)【要約】【課題】作業者及び感光材料マガジンへの静電気の帯電を防止して、静電気の放電による写真処理装置の制御機器のプログラムに誤動作が発生するのを防止するとともに、作業者に対しては不快な刺激感（感電）をなくすことができるようにする。【解決手段】  写真処理装置本体に着脱可能に設けられる感光材料マガジンであって、ケーシングの内方には長尺の感光材料を収納用若しくは巻き取り用のスプールが設けられ、ケーシングの下部には搬送用の車輪が設けられるとともに、ケーシングと車輪が転動する設置面との間に放電手段を設けた。【選択図】図３
2005227431.tif 000002
【特許請求の範囲】
【請求項１】
写真処理装置本体に着脱可能に設けられる感光材料マガジンであって、ケーシングの内方には長尺の感光材料を収納若しくは巻き取るスプールが設けられ、ケーシングの下部には搬送用の車輪が設けられるとともに、ケーシングと車輪が転動する設置面との間に放電手段を設けたことを特徴とする搬送式感光材料マガジン。
【請求項２】
感光材料マガジンに搬送用ハンドルが電気的に接続された状態で設けられている請求項１に記載の搬送式感光材料マガジン。
【請求項３】
一端が感光材料マガジンのケーシングに電気的に接続され他端が設置面に摺接する導電材料製索条で放電手段を形成したことを特徴とする請求項１又は請求項２に記載の搬送式感光材料マガジン。
【請求項４】
導電材料製索条を導電性ゴムで形成したことを特徴とする請求項３に記載の搬送式感光材料マガジン。
【請求項５】
導電材料製索条を金属製鎖若しくは金属製編組紐又は帯状に形成したことを特徴とする請求項３に記載の搬送式感光材料マガジン。
【発明の詳細な説明】
【技術分野】
【０００１】
本発明は、写真処理装置における搬送式感光材料マガジンに関し、特に感光材料マガジンの帯電防止に関するものである。
【背景技術】
【０００２】
従来、写真処理装置では連続して大量に処理を行なうために、印画紙等の感光材料は、ロール状に巻かれたものをマガジンに収納したものや、写真処理装置で処理された感光材料を巻き取るためのスプールを備えた感光材料マガジンを写真処理装置本体に装着して使用するようにしている。
【０００３】
こうしたものでは多量の感光材料をスプールにロール状に巻いた物はその重量が重いために、自在車輪（キャスタ）付きのマガジンに収納されており、自在車輪付きの感光材料マガジンを押し動かして写真処理装置の本体部分に移動させて装着するようにしている。
また、これと同様に、写真処理装置で処理された感光材料をスプールに巻き取る物では、巻き取られた状態ではその重量が重い為に、キャスタ付きのマガジンで移動させるようにしている。
【特許文献１】特願平２００２−３５７７５０
【発明の開示】
【発明が解決しようとする課題】
【０００４】
ところが、上記のような感光材料マガジンではキャスタがゴム等の絶縁材料で形成されていることから、感光材料マガジンを移動させたりする時に、感光材料マガジンに静電気が帯電する。
また、感光材料マガジンの静電気による帯電は、移動時に発生する静電気の帯電だけでなく、これを移動操作する作業者の帯電が感光材料マガジンに移行することによっても発生する。
【０００５】
斯くして感光材料マガジンに静電気が帯電すると、写真処理装置の本体部分は接地（アース）してあることから、装着するために感光材料マガジンが写真処理装置の本体部分に接触した時に帯電した高電圧の静電気が本体部分側に瞬時にして流れて放電する。
この放電時、作業者にはその放電で不快な刺激感をともなうだけでなく、放電の高い電圧による電撃で写真処理装置の制御機器のプログラムに誤動作を発生させる危険性があった。
【０００６】
本発明は上記問題点に鑑みて提案されたもので、作業者及び感光材料マガジンへの静電気の帯電を防止して、静電気の放電による写真処理装置の制御機器のプログラムに誤動作が発生するのを防止するとともに、作業者に対しては不快な刺激感（感電）をなくすことができるようにすることを目的とするものである。
【課題を解決するための手段】
【０００７】
上記目的を達成する為に、本発明における搬送式感光材料マガジンは、写真処理装置本体に着脱可能に設けられる感光材料マガジンであって、ケーシングの内方には長尺の感光材料を収納用若しくは巻き取り用のスプールが設けられ、ケーシングの下部には搬送用の車輪が設けられるとともに、ケーシングと車輪が転動する設置面との間に放電手段を設けたことを最も主要な特徴とするものである。
【０００８】
また、感光材料マガジンに搬送用ハンドルが電気的に接続された状態で設けたり、一端が感光材料マガジンのケーシングに電気的に接続され、他端が設置面に摺接する導電材料製索条で放電手段を形成したことや、更に、導電材料製索条が金属製鎖若しくは金属製編組紐または帯にしたり、あるいは導電材料製索条を導電性ゴムで形成したことも特徴とするものである。
【発明の効果】
【０００９】
本発明に係る搬送式感光材料マガジンは、そのケーシングの内方に長尺の感光材料を収納用若しくは巻き取り用のスプールを設け、ケーシングの下部には搬送用の車輪を設けるとともに、ケーシングと車輪が転動する設置面との間に放電手段を設けるようにしてあるので、感光材料マガジンを搬送中に感光材料マガジンに発生する静電気は、当該放電手段を通じて設置面にことごとく放電される。
【００１０】
また、感光材料マガジンに搬送用ハンドルが電気的に接続された状態で設けられたものでは、搬送時にその作業者に発生した静電気がハンドルを介して感光材料マガジンに伝えられ、感光材料マガジンから放電手段を通じて設置面に放電されて消滅する。
【００１１】
これにより、作業者及び感光材料マガジンへの静電気の帯電を防止することができ、帯電した静電気の放電による電撃や高周波の発生で写真処理装置の制御機器のプログラムに発生する誤動作を防止して写真処理装置の品質を向上できるとともに、作業者に対しては放電にともなう不快な刺激感をなくすことができる利点がある。
【発明を実施するための最良の形態】
【００１２】
以下本発明に係る搬送式感光材料マガジンの好ましい実施の形態を図面に基づいて説明する。
図１は写真処理装置の概略正面図、図２は写真処理装置の内部機構の概略構成図であって、図中符号１は写真処理装置を全体的に示す。
この写真処理装置１は、印画紙等の感光材料２に画像を焼き付ける焼付け処理装置であって、写真処理装置本体３と、写真処理装置本体３の給紙入口４側と出口５側にそれぞれ着脱可能に装着された感光材料マガジン６・７とを備えてなり、以後、給紙口４側に設けられた感光材料マガジン６は送り出し用ペーパーマガジン６、出口５側に設けられた感光材料マガジン７は巻取り用ペーパーマガジン７といい、両者を称する時はペーパーマガジン６・７という。
【００１３】
写真処理装置本体３は、送り出し用ペーパーマガジン６に収納された例えば印画紙などの未処理の感光材料２が給紙入口４から供給されると、この未処理の感光材料２は露光部８で画像を焼き付けられたのち、出口５から巻取り用ペーパーマガジン７のスプール９に焼き付け処理済みの感光材料２として連続的に巻き取られるようになっている。
こうした写真処理装置本体２内の作業及び後述する送り出し用ペーパーマガジン６からの感光材料２の送り出し制御、巻取り用ペーパーマガジンへの処理済感光材料の巻き取り等の各制御は従来通り制御装置（図示せず）に予め設定されたプログラムにより連動制御される。
【００１４】
ここで、送り出し用ペーパーマガジン６は、写真処理装置本体３の露光部８での焼き付け処理を連続して多量に行なうために長尺の感光材料２をロール状に巻き取ったスプール１０をマガジンケース１１に収納したもので、送り出し用ペーパーマガジン６内の感光材料がなくなると、焼き付け処理を一旦停止し、空になった送り出し用ペーパーマガジン６を写真処理装置本体３から取り外し、新たな送り出し用ペーパーマガジン６を装着して使用するようにしている。
【００１５】
また、巻取り用ペーパーマガジン７は、写真処理装置本体３の出口５から出される焼き付け済みの感光材料２をマガジンケース１２内に巻き取り駆動可能に内装されたスプール９に巻き取るもので、焼き付け済みの感光材料２が一定の長さに巻き取られると、焼き付け処理を一旦停止し、図外の装着機構による係止を解除して写真処理装置本体３から分離し、空のスプール９を内装した別の巻取り用ペーパーマガジン７を出口部分５に装着する。
【００１６】
斯くして写真処理装置本体３から取り外された巻取り用ペーパーマガジン７は、直ちにあるいは一旦他所に保管されたのち、現像処理等の後続の処理工程（図示せず）に運ばれてセットされる。
各ペーパーマガジン６・７は移動・搬送時を容易にするとともに、静粛性を考慮して下面の四隅部分にはゴム製の自在車輪１３が設けられ、上面には金属製の搬送用ハンドル１４・１５が設けられており、この搬送用ハンドル１４・１５はペーパーマガジン６・７のケーシング１１・１２に直接固定若しくは金属製ブラケット１６を介して取り付けられることにより、ケーシング１１・１２に電気的に接続された状態になっている
【００１７】
また、各ペーパーマガジン６・７にはそれぞれ放電手段１７が設けられている。
この放電手段１７は、図３に示すように金属製線材を細巾の帯状に編成して導電材料製索条１８を形成し、導電材料製索条１８はその上端寄り部分に固定用ビス１９が挿通される取り付け部２０が形成されるとともに、下端部分が床面（設置面）２２に摺接して放電する放電部２１となっている。
尚、放電手段１７の導電材料製索条１８は、金属製線材を細巾の帯状に編成して形成するようにしてあるが、図４のＡに示すように天然ゴムや合成ゴムに金属粉末を練りこんで導電性を有するようにしたものや、図４のＢに示すように金属鎖にすることは勿論のこと導電性を有するものであれば利用することができる。
【００１８】
上記のように構成された写真処理装置１における放電手段１７の作用を次に説明する。
先ず、固定用ビス１９で導電材料製索条１８の取り付け部２０を感光材料マガジン６・７のケーシング１１・１２の側面部分に確りと固定してケーシング１１・１２と導電材料製索条１８とを電気的に接続された状態するとともに、導電材料製索条１８の下端の放電部２１を床面２２に当接した状態にする。
【００１９】
次に、写真処理装置１の設置時に感光材料マガジン６・７を運んで来て装着する時、あるいは写真処理装置１の稼動により送り出し用ペーパーマガジン６を取り換える必要がある場合、即ち、空になった送り出し用ペーパーマガジン６を写真処理装置本体３から取り外し、新たな送り出し用ペーパーマガジン６を他所から運んで来る時、及び巻取り用ペーパーマガジン７を取り換える時、即ち、焼付け済みの感光材料２を巻き取った後、後続の処理工程に巻取り用ペーパーマガジン７を運部時、あるいは空の巻取り用ペーパーマガジン７が当該写真処理装置本体３に運ばれてくる時等にペーパーマガジン６・７やその作業者に静電気が発生する。
【００２０】
ペーパーマガジン６・７に発生した静電気はそのケーシング１１・１２から導電材料製索条１８を介して床面２２に放電され帯電するのが防止される。
また、ペーパーマガジン６・７を搬送する作業者も靴等で床面２２から絶縁されており、服や靴と床面２２との摩擦や服の摩擦により作業者にも静電気が発生するが、発生した静電気は搬送用ハンドル１４・１５を通じてペーパーマガジン６・７のケーシング１１・１２に流れ、導電材料製索条１８を介して床面２２に放電されるので、静電気の帯電が防止される。
【００２１】
こうしてペーパーマガジン６・７や作業者に発生する静電気が帯電することなく消滅するので、写真処理装置本体３内の露光部８での焼き付け処理及び送り出し用ペーパーマガジン６からの感光材料２の送り出し制御、巻取り用ペーパーマガジン７への処理済感光材料２の巻き取り制御を連動制御する制御プログラム等が帯電した静電気の放電による電撃や高周波で誤動作するのが防止される。
また、床面２２への放電は高電圧にならないうちに常時行なわれるので、高電圧になってからの放電のような作業者への不快な刺激もなくすことができる。
【００２２】
尚、導電材料製索条１８は、図上１本にしてあるがこうしたものに限られず、複数本にすることができるのはいうまでもないことである。
また、上記実施の形態では放電手段１７を導電材料製索条１８にしてあるが、自在車輪１３のタイヤ部分を導電性にして放電手段１７を形成することができるのは勿論のことである。
【図面の簡単な説明】
【００２３】
【図１】写真処理装置の概略正面図である。
【図２】写真処理装置の内部機構の概略構成図である。
【図３】感光材料マガジンに付設する放電手段の分解斜視図である。
【図４】放電手段の導電材料製索条の変形例を示す斜視図である。
【符号の説明】
【００２４】
１・・・写真処理装置
２・・・感光材料
３・・・写真処理装置本体
６・・・感光材料マガジン（送り出し用ペーパーマガジン）
７・・・感光材料マガジン（巻取り用ペーパーマガジン）
９・１０・・・スプール
１１・１２・・・ケーシング
１３・・・車輪（自在車輪）
１４・１５・・・ハンドル
１７・・・放電手段
１８・・・導電材料製索条
２２・・・設置面（床面）
【図１】
2005227431.tif 000003
【図２】
2005227431.tif 000004
【図３】
2005227431.tif 000005
【図４】
2005227431.tif 000006